(57)【要約】【課題】ガス栓から外し空気が混入したガスホースで暖房運転を行うと、着火検知後すぐに失火することがある。着火検知直後の失火を判断し、再度点火動作を行うことで、機器の燃焼を継続させ、点火不良をなくす。【解決手段】着火検知後、第１タイマー時間の間は最大燃焼としガス流量を増やし熱電対１０が検出する起電力値（ＴＣ）の挙動が安定上昇する中で、ＴＣに基づき失火検知し、改めて点火動作を行う。ガスホース１５ａに空気溜りが生じ不安定な燃料供給がされた時には、早期に正確に失火を検出し、以降、ガス栓より安定した燃料ガスが供給された時点で、再度バーナー８に点火することが可能となり、機器を異常停止させることなく使用できる。【選択図】  図１
2004170018.tif 000002
【特許請求の範囲】
【請求項１】
空気吸入口と温風吹出口を有する外装ケース内に、バーナーと点火手段と炎センサーとを臨ませた燃焼室と、空気吸入口から吸入した空気をバーナーに供給するとともに、燃焼室で加熱された空気を温風吹出口から排出する送風手段と、外装ケースに設けられたガス接続口からガスをバーナーに供給するガス供給手段と、機器の動作を制御する制御手段を備え、制御手段は、点火動作を行い着火検知した後から第１タイマー時間中は強制的に最大燃焼量とし、第１タイマー時間中に失火を検出した時は再度点火動作を繰り返すように構成されていることを特徴とするガス温風暖房機。
【請求項２】
第１タイマー時間は、ガス接続口に接続され機器に燃料を供給するガスホースの容量に等しいガスがバーナーに供給されるのに必要な時間より長いことを特徴とする請求項１に記載のガス温風暖房機。
【請求項３】
点火動作の繰り返し回数を１回とした請求項２に記載のガス温風暖房機。
【請求項４】
炎センサーの検出値が第１タイマー時間中に第１検知閾値だけ減少したことで失火を判定する請求項１〜３のいずれか１項に記載のガス温風暖房機。
【請求項５】
炎センサーの検出値が着火検知を判定する第２検知閾値を下回ることでも失火を判定する請求項４に記載のガス温風暖房機。
【請求項６】
制御手段は、点火手段が作動する前に送風を行う構成とし、この送風時間が、再点火動作の方が初回の点火動作より長いことを特徴とする請求項１〜５のいずれか１項に記載のガス温風暖房機。
【請求項７】
点火手段の作動時間が、再点火動作の方が初回の点火動作より長くなるようにしたことを特徴とする請求項１〜６のいずれか１項に記載のガス温風暖房機。
【請求項８】
制御手段は、点火動作中の表示を行う構成とし、表示する内容が、初回の点火動作時と再点火動作時とで異なることを特徴とする請求項１〜７のいずれか１項に記載のガス温風暖房機。
【発明の詳細な説明】
【０００１】
【発明の属する技術分野】
本発明は、ガス温風暖房機の点火制御に関するものである。
【０００２】
【従来の技術】
従来、この種のガス温風暖房機は、空気吸入口と温風吹出口を有する外装ケース内に、バーナーと点火手段と熱電対からなる炎センサーとを臨ませた燃焼室と、空気吸入口から吸入した空気をバーナーに供給するとともに、燃焼室で加熱された空気を温風吹出口から排出する送風手段と、外装ケースに設けられたガス接続口からガスをバーナーに供給するガス供給手段と、機器の動作を制御する制御手段を備えている。
【０００３】
そして、暖房運転の指示があると、制御手段は、送風手段を作動させ燃焼室内の空気を循環させ燃焼室内部の空気を浄化する。これは一般的にプリパージ動作と言う。その後、点火手段を作動させた状態で、ガス供給手段を作動させ、ガス接続口から燃焼室内のバーナーにガスが供給されると、点火手段の放電火花がガスに引火し炎が形成され、熱電対が炎に炙られると起電力が発生する。制御手段は起電力を検出してバーナーに着火したことを判断し、点火手段を停止させる。
【０００４】
以降、制御手段は室温を検出し室温が設定温度となるように燃焼量を調整しながら暖房運転を継続する。ガス温風暖房機の特徴の一つは、気化燃料が直接供給されるため、運転指示から温風が吹き出るまでが短時間であると言う点である。
【０００５】
それを更に際立たせるため、点火時の炎の検出を素早く判断し、点火手段の作動をより短時間にし、迅速に点火することを使用者に訴えかける傾向にある。具体的には、熱電対の起電力を判定する着火検出閾値を低く設定したり、起電力のわずかな増加を検出したりして、着火を判断している。
【０００６】
一方で、ガス温風暖房機へのガス供給は、屋内に設けられたガス栓と機器のガス接続口とをゴム製のホースで接続して行う。一般的には、安全性に配慮しホースの機器側終端にガス遮断機構を有し、両端の接続部に抜け防止のロック機構を有するガス機器専用のホース（以下、便宜的にガスホースと言う）が使用される。ガスホースの機器側は、ガス接続口に接続されている時はガス遮断機構部の閉止弁が開きガスを流し、接続されていない時は閉止弁が閉じガスを遮断する働きがある。
【０００７】
ガス栓側は接続されているされていないに関わらず開放である。また、ガス温風暖房機の使用者には、ガス漏れに対する不安感からなのか、機器を使用した後、ガス栓を閉めガス栓からガスコード外して使用する場合が見られる。
【０００８】
【発明が解決しようとする課題】
しかしながら、機器使用後、就寝前にガス栓からガスホースを外し、翌朝に再度接続して器具を使用した場合、ガスホースは数時間ガス栓より外され、ガス栓側の終端は開放の状態まま放置される。すると、機器使用後にガスホース内に残留したガスが、開放であるガスホースのガス栓側から徐々に空気中に拡散しホース内部が空気に置換していく。ガス栓側は空気に置換され易いが機器側はガスが残り、ガスホース内部のガス濃度に濃淡が生じる。これをガス栓に接続した時、ガス栓付近に空気溜りができ、空気が燃料ガスで挟まれるサンドイッチのような状況が作り出される。
【０００９】
上記のような状態で、機器に暖房運転の指示すると、機器内のガス供給通路部やガスホース内の機器側付近のガスにより点火を検出し、その後、炎の状態がまだ不安定な中でバーナーに空気が供給されるため、炎が吹き消えてバーナーは失火する。燃料ガスの供給が空気で一時的に断れた後、ガス栓よりガスが供給されるが、既に点火を検出し点火手段が停止しているのでバーナーは失火したままとなり、機器が異常停止してしまうという課題があった。
【００１０】
本発明は、上記従来の課題を解決するもので、機器へのガス供給経路の途中（ガスホース内）に空気溜りが生じても、確実に点火し燃焼を安定して継続させることで、点火不良が減少し使い勝手が向上したガス温風暖房機を提供することを目的とする。
【００１１】
【課題を解決するための手段】
前記従来の課題を解決するために、本発明のガス温風暖房機は、点火動作を行い着火検知した後、所定時間は強制的に最大燃焼量とし、その間に失火を検出した時は、再度点火動作を繰り返すように構成されている。
【００１２】
着火判定後、ガスホース内の空気溜りによりバーナーの炎が失火しても、所定時間内は改めて点火の動作を行い、空気が通過後、再び燃料ガスが供給されればバーナーは再度点火し、燃焼が継続する。
【００１３】
【発明の実施形態】
請求項１に記載の発明は、空気吸入口と温風吹出口を有する外装ケース内に、バーナーと点火手段と炎センサーとを臨ませた燃焼室と、空気吸入口から吸入した空気をバーナーに供給するとともに、燃焼室で加熱された空気を温風吹出口から排出する送風手段と、外装ケースに設けられたガス接続口からガスをバーナーに供給するガス供給手段と、機器の動作を制御する制御手段を備え、制御手段は、点火動作を行い着火検知した後から第１タイマー時間中は強制的に最大燃焼量とし、第１タイマー時間中に失火を検出した時は再度点火動作を繰り返すようにしたものである。そして、着火判定後の所定時間においては、ガスホース内の空気溜りによりバーナーの炎が失火しても、改めて初期から点火の動作を行い、空気が通過後、再点火動作をする中で再び燃料ガスが供給されるので、バーナーは再度点火し燃焼が継続する。
【００１４】
よって、ガスホースが空気置換した不安定な燃料ガス供給状態においても良好な点火をすることができ、燃焼継続が可能となり、使い勝手の良いものとなる。
【００１５】
また、所定時間内は最大燃焼となり、バーナーへのガスの通過量と炎センサーの検出量とが大きくなるので、ガスホース内の空気溜りを早く正確に検出することができる。
【００１６】
請求項２に記載の発明は、第１タイマー時間は、ガス接続口に接続され機器に燃料を供給するガスホースの容量に等しいガスがバーナーに供給されるのに必要な時間より長くしたものである。
【００１７】
そして、失火により再点火を行うよう判定している間に、ガスホース内の全てのガス容量がバーナーを通過するので、ガスホース内の空気溜りによる失火を逃すことなくを確実に検出することができる。
【００１８】
請求項３に記載の発明は、点火動作の繰り返し回数を１回としたものである。そして、空気溜りによる失火が確実に検出できる中、不必要な点火動作の繰り返しを防止することができる。
【００１９】
請求項４に記載の発明は、炎センサーの検出値が第１タイマー時間中に第１検知閾値だけ減少したことで失火を判定するようにしたものである。
【００２０】
そして、最大燃焼において起電力が安定して増加する中、起電力が減少方向に変化したことで失火を検知するので、迅速に失火を判断でき、空気溜りの後に供給される未燃ガスの流出を減らし、点火時のガス臭を抑制することができる。
【００２１】
請求項５に記載の発明は、炎センサーの検出値が着火検知を判定する第２検知閾値を下回ることでも失火を判定するようにしたものである。そして、起電力が着火検知閾値を下回っても失火と判断するので、着火検知直後に生じる失火の検出を更に迅速に行うことができる。
【００２２】
請求項６に記載の発明は、制御手段は、点火手段が作動する前に行う送風時間が、再点火動作の方が初回の点火動作より長くしたものである。
【００２３】
そして、燃焼室の中に残留する燃焼により生成されたガス成分や希薄ガスや未燃ガスを初回点火より長く時間をかけて排出するので、燃焼室内が十分に清浄でき安定した再点火動作を行うことができる。
【００２４】
請求項７に記載の発明は、点火手段の作動時間が、再点火動作の方が初回の点火動作より長くなるようにしたものである。
【００２５】
そして、再点火時の点火時間を十分に確保することで、空気と混じりあった不安定なガス濃度の燃料ガスが供給されても、確実に安定した再点火動作を行うことができる。
【００２６】
請求項８に記載の発明は、制御手段が表示する内容が、初回の点火動作時と再点火動作時とで異なるようにしたものである。
【００２７】
そして、供給される燃料ガスの状況によって異なる機器の動作を、表示によって使用者に知らせることで、使用者の違和感や不信感を緩和することができる。
【００２８】
【実施例】
以下、本発明の実施例について図１〜４を参照しながら説明する。
【００２９】
図１は、本発明の実施例におけるガス温風暖房機の概略構成を示す構成図である。１は外装ケースであり、天板２と底板３とで機器の外装を構成する。外装ケース１は機器の背面上部に当たる位置に空気吸入口４を、前面下部に当たる位置に温風吹出口５を有し、空気吸入口４にはエアフィルター６が取り付けられている。７は外装ケース１内上部に設けられた燃焼室、８は燃焼室７に設けられたバーナー、９は点火手段、１０はバーナー８の炎近傍に配置された熱電対からなる炎センサー、１１は燃焼室７の下部に設けられたクロスフローファンよりなる送風ファン、１２は送風ファン１１を駆動するモーター、１３は燃焼室７の上面及び前面を覆う覆板、１４は送風ファン１１からの温風を温風吹出口に導くファンケースである。外装ケース１の背面下部にはガス接続口１５が設けられ、ガスホース１５ａによって、ガスコンセント１５ｂと接続できるようになっている。また、パイプにて電磁弁・比例弁よりなるガス供給手段１６と接続され、ガス導管１７によってバーナー８にガスが供給されている。天板２の前方部に操作及び表示部１８を設け、その直下の外装ケース１内に各種スイッチや表示器を配した制御手段の一部である操作表示回路１９ａが設けてある。１９は制御手段の中核をなす制御回路、２０はサーミスターよりなる室温検知器で、同様に外装ケース１内に設けてある。また、２１は制御手段１９に電源を供給する電源コードである。
【００３０】
次に、動作について説明する。
【００３１】
図２は、本発明の実施例におけるガス温風暖房機の暖房運転動作を示すフローチャートである。運転指示があると制御回路１９は、まず送風ファン１１を点火風量で駆動（Ｓ０１）する。熱電対１０が検出する起電力値（ＴＣ）を判定（Ｓ０２）し、点火動作前に着火検知閾値以上が６０秒続けば熱起電力異常として停止する。また、着火検知閾値未満ならば比例弁に突入電流を流し（Ｓ０３）、１秒間弁体を全開させる。その間送風を継続し燃焼室７内の空気を機器外に排出し、燃焼室７を浄化する（プリパージ動作）。その後、点火手段９をＯＮ（Ｓ０４）した状態で、電磁弁をＯＮ、比例弁を点火ガス量に設定（Ｓ０５）する。点火手段９の放電火花がガスに引火するとバーナー８に炎が形成される。熱電対１０が炎に炙られると起電力が生じ、ＴＣが着火検知閾値以上を０．５秒継続すること（Ｓ０６）で着火を検知する。着火検知閾値は３ｍＶである。また、着火検知閾値未満のまま不着火安全タイマーの３０秒が経過（Ｓ０７）すれば、不着火異常として停止する。着火検知後、第１タイマーを設定（Ｓ０８）し、操作表示回路１９ａに設けられ操作及び表示部１８に配置される燃焼ランプをＯＮ、点火手段９をＯＦＦ（Ｓ０９）し、送風ファン１１を強風量、比例弁を強ガス量（Ｓ１０）とし、機器の持つ最大の燃焼量で燃焼する。以降、第１タイマーが経過（Ｓ１２）するまで失火検出（Ｓ１１）を行い、失火を検出せず第１タイマー時間が経過すれば、比例燃焼運転を行う。比例燃焼運転では、室温サーミスター２０で室温を読み取り（Ｓ２９）、室温が設定温度となるよう送風ファン１１と比例弁を強から弱の間で制御（Ｓ３０）する。また、その間でＴＣが立ち消え検知閾値未満を５秒継続すること（Ｓ３１）で立ち消えを検知し、立ち消え異常として停止し未燃ガスの流出を防止する。
【００３２】
第１タイマーカウント中に失火検知した時は改めて点火動作を繰り返す。燃焼ランプを点灯から０．５Ｈｚの周期での点滅（Ｓ１３）とし、電磁弁と比例弁をオフ（Ｓ１４）し、送風ファンを点火風量に設定（Ｓ１５）する。ここで、待機タイマーの２秒を設定（Ｓ１６）し、Ｓ０２と同様に点火動作前にＴＣを判定（Ｓ１７）し、着火検知閾値以上が６０秒続けば熱起電力異常として停止する。また、着火検知閾値未満ならば待機タイマーの２秒が経過したことを待って（Ｓ１８）、１秒間の突入動作（Ｓ１９）、所謂プリパージ動作を行う。その後、点火手段９をＯＮ（Ｓ２０）し、電磁弁をＯＮ、比例弁を点火ガス量に設定（Ｓ２１）する。
【００３３】
ここで燃料ガスが供給されてバーナー８が再点火した時、ＴＣが再着火検知閾値以上を０．５秒継続すること（Ｓ２２）で着火を検知する。再着火検知閾値は８ｍＶである。また、再着火検知閾値未満のまま不着火安全タイマーの３０秒が経過（Ｓ２３）すれば、不着火異常として停止する。着火検知後、第１タイマーを設定（Ｓ２４）し、燃焼ランプをＯＮ、点火手段９をＯＦＦ（Ｓ２５）し、送風ファン１１を強風量、比例弁を強ガス量（Ｓ２６）とする。再点火動作時は、第１タイマーカウント中にＴＣが立ち消え検知閾値未満を５秒継続すること（Ｓ２７）で立ち消えを検知し、立ち消え異常として停止する。立ち消えを検出せず第１タイマー時間が経過（Ｓ２８）すれば、比例燃焼運転を行う。
【００３４】
また、ガス温風暖房機への燃料供給に使用される市販のガスホースは、その内径が６ｍｍ、７ｍｍ、８ｍｍ、およびその長さが０．６ｍ、０．７ｍ、１ｍ、２ｍ、３ｍ、５ｍ、８ｍであり、その組み合わせで品揃えされている。内部容量が最大となる内径８ｍｍ、長さ８ｍのガスホース容量は約０．４０２１×１０−３ｍ３となる。また、発熱量が大きいＬＰガスの主成分となる純プロパンの発熱量は約２８．２８ｋＷ／ｍ３（２４３２０ｋｃａｌ／ｍ３）であり、上記ガスホース内の発熱量は約０．０１１３７ｋＷとなる。一方、燃焼量が小さく最も普及していいるガス温風暖房機の最大燃焼量は約２．４４ｋＷ／ｈ（≒０．６７７８×１０−３ｋＷ／ｓ）程度であり、上記ガスホース内の燃料ガスは約１７秒でバーナー８に供給され消費される。これは、燃料ガスの通過に最も時間を要する条件での計算となるが、機器やガス成分のバラツキなどをも考慮した上で、第１タイマー設定値は３０秒とする。
【００３５】
図３は、本発明の実施例におけるガス温風暖房機の起電力の挙動を示すタイムチャートである。縦軸は熱電対が検出するＴＣ（ｍＶ）であり、横軸は経過時間（秒）である。時間０は運転指示したタイミングであり、着火検知後３０秒以内にバーナー８の炎が失火した時のＴＣの変化を示すものである。着火検知後は、最大燃焼量とするためＴＣは安定して増加していき、また失火した時点でＴＣは減少していく。
【００３６】
ここに示すように、燃焼状態と失火状態との区別はＴＣにより明確に判断できる。ガスホース内の空気溜りにより着火後に失火する現象におけるＴＣの挙動は、ガスホースの径や長さ、空気の量、機器の最大燃焼量の組み合わせにより異なるが、本タイムチャートの範囲の挙動をほぼ示す。傾向は、燃焼時間が長いほどＴＣは高いレベルまで上昇し、また、ＴＣの電圧レベルが高いほど時間あたりの減少度合いが大きくなっている。各チャートが減少方向に折り返すところで失火し、以降は、バーナー８の炎が消えているため、ガスホース内の空気やそれに続くガス栓からの未燃ガスが流出する状態となり、失火状態を迅速に検出し再点火動作に移行しないとガス流出によるガス臭が生じる。
【００３７】
図４は、本発明の実施例におけるガス温風暖房機の失火検知動作を示すフローチャートで、Ｓ１１の失火検知の内容を具体的に示したものである。送風ファン１１を強風量、比例弁を強ガス量とし（図１のＳ１０）最大燃焼量とした後、失火検出を行う。まずは、現在（着火検知した時）のＴＣを仮のＴＣ最大値とする（Ｓ３２）。次に、ＴＣを読み込み（Ｓ３３）、ＴＣ最大値と比較する（Ｓ３４）。ＴＣの方が大きければＴＣでＴＣ最大値を更新（Ｓ３５）する。更に、ＴＣ最大値とＴＣとの差であるΔＴＣを計算する（Ｓ３６）。ΔＴＣが第１検知閾値以上（Ｓ３７）であれば失火と判断する。併せて、ＴＣが第２検知閾値未満であっても失火と判断する。また、第１タイマー時間が経過した時点で失火検出を終了する。第１検知閾値は１ｍＶとし、第２検知閾値は着火検知閾値と同じ３ｍＶとする。このような動作は、制御回路１９に実装されたマイクロコンピューター（図示せず）のプログラムにより容易に実現することができる。
【００３８】
以上のように、点火動作し着火検知した後、第１タイマー時間の間は最大燃焼量としガス流量を増やし、熱電対１０が検出する起電力値（ＴＣ）の挙動が安定上昇する中で、ＴＣに基づき失火検知し、改めて点火動作するようにしたので、ガスホースに空気溜りが生じ不安定な燃料供給がされた時には、早期に高い確度で失火を検出し、以降、ガス栓より安定した燃料ガスが供給された時点で、再度バーナー８に点火することが可能となり、機器を異常停止させることなく継続して使用できる。また、再点火動作を行うことで、着火検出閾値は比較的低いレベルに設定できるので、通常に安定してガスが供給される時は着火検知を遅らせることなく迅速に点火動作が終了し、機器の特徴を損なうことがない。
【００３９】
また、再点火動作を判定する第１タイマーを、ガスホース内の全ガス容量がバーナー８に供給される時間より十分に長い３０秒としたので、ガスホース内の空気溜りの状態（燃料ガスと空気の比率）に関わらず失火を検出することができ、確実に再点火動作させることができる。
【００４０】
また、再点火時の第１タイマー時間中の失火は立ち消え判定し異常停止させるようにしたので、再点火動作が１回に限られ、不安定なガス供給の中で予測不能な必要以上の再点火動作を避けることができ、繰り返し再点火動作した時に生じる断続的な点火音による不安感をなくすことができる。
【００４１】
また、第１タイマー時間中のＴＣの最大値を探し、最大値からのＴＣの減少により失火を検知し、再点火動作に移行しガス供給手段１６を閉止する。第１検知閾値を１ｍＶとすると着火検知後５秒間燃焼した後の失火において約２秒程度で失火検出できるので、微量の空気溜りで燃焼ガスが瞬断され、即ガス栓よりガスが供給されるような場合でも、未燃ガスの流出を減らしガス臭を抑制することができる。
【００４２】
また、第１タイマー時間中は最大燃焼としガス安定供給時のＴＣは安定上昇するので、第１検知閾値を小さく設定でき、感度良く失火を検出できる。
【００４３】
また、併せて、ＴＣが着火検知閾値である第２検知閾値を下回ったことで失火を検知するので、ガスホースが短くガスホース内のガス残量が少なくＴＣが着火検知閾値から第１検知閾値以上のレベルに達することなく失火するような場合は、第１検知閾値分のＴＣの減少を待つよりも早く失火検知できる。また、ＴＣが４ｍＶ程度で電圧が低い時は減少度合いがより緩やかになるので、失火検出時間を早める有効な手段となる。図２において、着火検知後即失火した場合を、第１検知閾値を１ｍＶとし失火判定した場合は約４秒の検知時間が必要であるが、第２検知閾値（３ｍＶ）で判定した場合は約３秒となり、失火検出時間を１秒改善することができる。
【００４４】
また、再点火動作時、初期のＴＣ判定（Ｓ１７）が即終了しても、送風ファン１１を点火風量としたまま２秒間待機した後に１秒間のプリパージ動作を行い、点火手段９作動前に最短３秒の送風時間が確保できるので、初回の点火および失火により発生した燃焼ガスや希薄ガス、未燃ガスを十分に排出でき、燃焼室７内を清浄し安定した再点火動作を行うことができる。尚、再点火動作時はＴＣのレベルが上昇しているので、初期のＴＣ検知を高い電圧で判定（例えば、再着火検知レベル：８ｍＶ）し、ＴＣの低下を待つことなく早く再点火動作させようとした時には、プリパージ時間を確保する有効な手段となる。
【００４５】
また、再点火動作時、ＴＣが着火検知閾値の３ｍＶまで低下した後、再着火検知閾値を８ｍＶに高めて着火判定しているので、十分なＴＣの上昇が得られるまで点火手段９が動作し続け、不安定のガス供給が行われる中でも確実な着火検知を行うことができる。尚、初期のＴＣ検知を高い電圧で判定（例えば、再着火検知レベル：８ｍＶ）し、ＴＣの低下を待つことなく早く再点火動作させようとした時には、再着火検知（Ｓ２２）の検知タイマー時間を３〜５秒程度とすることで、十分な点火手段９の動作時間を確保することができる。
【００４６】
また、再点火動作に移行した時、再着火検知（Ｓ２２）するまでは、燃焼ランプを点滅させているので、再点火動作していることを視覚的に使用者に知らせることができ、点火音が繰り返し発生することの違和感を軽減することができる。
【００４７】
【発明の効果】
以上のように、請求項１から８に記載の発明によれば、着火検知直後の失火を検出したら改めて点火動作を行うので、機器へ燃料供給するガスホース内に空気が溜まるような使われ方をしても、１回の運転指示で確実に点火し、安定して燃焼を継続することができ、点火不良が減少し機器の使い勝手が向上する。
【図面の簡単な説明】
【図１】本発明の実施例におけるガス温風暖房機の概略構成を示す構成図
【図２】同実施例におけるガス温風暖房機の暖房運転動作を示すフローチャート
【図３】同施例におけるガス温風暖房機の起電力の挙動を示すタイムチャート
【図４】同施例におけるガス温風暖房機の失火検知動作を示すフローチャート
【符号の説明】
１  外装ケース
４  空気吸入口
５  温風吹出口
７  燃焼室
８  バーナー
９  点火手段
１０  熱電対（炎センサー）
１１  送風ファン（送風手段）
１２  モータ（送風手段）
１５  ガス接続口
１５ａ  ガスホース
１６  電磁弁・比例弁（ガス供給手段）
１７  ガス導管
１９  制御回路（制御手段）
１９ａ  操作表示回路（制御手段）
【図１】
2004170018.tif 000003
【図２】
2004170018.tif 000004
【図３】
2004170018.tif 000005
【図４】
2004170018.tif 000006